(57)【要約】【課題】ペグの圧入位置の適正化を図ることにより、アース接続を行う場合の信頼性の向上を図る。【解決手段】基板用コネクタのオスハウジング１０のペグ取付スロット１３に金属板製のペグ２０を先端から圧入することで、ペグをオスハウジングに取り付けたペグ圧入構造において、ペグのペグ取付スロットに対する圧入部２２よりも基端側２３に、ペグ取付スロットの入口が開口するオスハウジングの端壁１４に突き当たることで、ペグの圧入位置を規制する圧入位置規制突起２８を設けた。【選択図】図３
2014154501.tif 000002
【特許請求の範囲】
【請求項１】
コネクタのハウジングのペグ取付スロットに、前記ハウジングを回路基板に固定するための金属板製のペグを先端から圧入することで、該ペグを前記ハウジングに取り付けたコネクタのペグ圧入構造であって、
前記ペグの前記ペグ取付スロットに対する圧入部よりも基端側に、前記ペグ取付スロットの入口が開口する前記ハウジングの端壁に突き当たることで、前記ペグの圧入位置を規制する圧入位置規制突起を設けたことを特徴とするコネクタのペグ圧入構造。
【請求項２】
前記圧入位置規制突起として、前記ペグの基板に、該ペグの圧入方向に向けて徐々に前記基板との間隔が広がる斜めの切り起こし片を設け、この切り起こし片の先端が、前記ペグ取付スロットの入口が開口する前記ハウジングの端壁に突き当たるようにしたことを特徴とする請求項１に記載のコネクタのペグ圧入構造。
【請求項３】
前記ペグが、前記回路基板のスルーホールに挿入固定されることで同時に該回路基板のアース回路に接続されるものであり、該ペグの基端側が、前記コネクタと相手側コネクタとを嵌合したときに、該相手側コネクタに設けられたアース用の部材に接触導通する部分として構成されていることを特徴とする請求項１又は２に記載のコネクタのペグ圧入構造。
【発明の詳細な説明】
【技術分野】
【０００１】
本発明は、コネクタのハウジングを回路基板に固定するためのペグの圧入構造に関するものである。
【背景技術】
【０００２】
基板側コネクタ（レセプタクル）を回路基板に固定する場合、コネクタのアース接続を同時に行うことのできる金属製のペグを使用することが知られている（例えば、特許文献１参照）。
【０００３】
この場合、コネクタハウジングに形成されたペグ取付スロットに金属板製のペグを圧入固定し、このペグを回路基板に固定することで、コネクタを回路基板に取り付けると同時に、ペグを回路基板のアース回路に導通接続するようにしている。
【０００４】
このように構成すると、基板側コネクタにケーブル側コネクタを嵌合した際に、ケーブル側コネクタのアース用部材をペグに接触導通させることで、ケーブル側コネクタのアース接続を行うことができる。
【０００５】
ところで、コネクタハウジングへのペグの取り付けは、一般的にハウジングに形成されたペグ取付スロットにペグを圧入することで行っており、ペグの位置決めは、ハウジングからの出代の確認などにより行っている。
【先行技術文献】
【特許文献】
【０００６】
【特許文献１】２０１０−１７６９５８号公報
【発明の概要】
【発明が解決しようとする課題】
【０００７】
しかし、ハウジングからの出代の確認などによりペグの位置決めを行っているだけでは、ハウジングのペグ取付スロットにペグを押し込み過ぎた場合に、圧入位置が適正範囲から外れてしまうことがある。そのように圧入位置がずれた場合、基板側コネクタにケーブル側コネクタを嵌合させた際に、ケーブル側コネクタのアース用部材とペグの接触位置がずれ、アース接続の信頼性が低下する問題がある。
【０００８】
本発明は、上述した事情に鑑みてなされたものであり、その目的は、ペグの圧入位置の適正化を図ることにより、アース接続を行う場合の信頼性の向上を図ることのできるコネクタのペグ圧入構造を提供することにある。
【課題を解決するための手段】
【０００９】
前述した目的を達成するために、本発明に係るコネクタのペグ圧入構造は、下記（１）〜（３）を特徴としている。
（１）  コネクタのハウジングのペグ取付スロットに、前記ハウジングを回路基板に固定するための金属板製のペグを先端から圧入することで、該ペグを前記ハウジングに取り付けたコネクタのペグ圧入構造であって、
前記ペグの前記ペグ取付スロットに対する圧入部よりも基端側に、前記ペグ取付スロットの入口が開口する前記ハウジングの端壁に突き当たることで、前記ペグの圧入位置を規制する圧入位置規制突起を設けたこと。
（２）  上記（１）の構成のコネクタのペグ圧入構造において、
前記圧入位置規制突起として、前記ペグの基板に、該ペグの圧入方向に向けて徐々に前記基板との間隔が広がる斜めの切り起こし片を設け、この切り起こし片の先端が、前記ペグ取付スロットの入口が開口する前記ハウジングの端壁に突き当たるようにしたこと。
（３）  上記（１）又は（２）の構成のコネクタのペグ圧入構造において、
前記ペグが、前記回路基板のスルーホールに挿入固定されることで同時に該回路基板のアース回路に接続されるものであり、該ペグの基端側が、前記コネクタと相手側コネクタとを嵌合したときに、該相手側コネクタに設けられたアース用の部材に接触導通する部分として構成されていること。
【００１０】
上記（１）の構成のペグ圧入構造によれば、コネクタのハウジングを回路基板に固定するためのペグを、ハウジングのペグ取付スロットに圧入したときに、ペグの基端側に設けた圧入位置規制突起が、ハウジングの端壁に突き当たることで、ペグの圧入位置が規制される。従って、ペグの圧入位置を適正に管理することができ、ペグの基端側にアース用の金属部材を接触導通させる際の接点位置の安定を図ることができ、接触信頼性を高めることができる。
上記（２）の構成のペグ圧入構造によれば、圧入位置規制突起として斜めの切り起こし片を設けたので、簡単な構成で確実にペグの圧入位置を規制することができる。
上記（３）の構成のペグ圧入構造によれば、ペグを用いて相手側コネクタのアース接続を行う場合に、相手側コネクタに設けたアース用部材を、適正に位置規制されたペグの基端側に接触導通させればよいので、信頼性の高いアース接続を行うことができる。
【発明の効果】
【００１１】
本発明によれば、ペグの基端側に圧入位置規制突起を設けたので、圧入時にその圧入位置規制突起がハウジングの端壁に突き当たることで、ペグの圧入位置の適正化を図ることができる。従って、ペグを介して相手側コネクタのアース接続を行う場合に、相手側コネクタのアース用部材とペグとの接点位置の安定を図ることができ、アース接続の信頼性向上を図ることができる。
【００１２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１３】
【図１】図１は、本発明の実施形態のペグ圧入構造が含まれるコネクタ装置の分解斜視図である。
【図２】図２は、本発明の実施形態のペグ圧入構造が含まれるコネクタ装置の嵌合時の状態を示す斜視図である。
【図３】図３は、図２のＩＩＩ部に適用された実施形態のペグ圧入構造部分の拡大断面図である。
【図４】図４は、本発明の実施形態のペグ圧入構造が含まれるコネクタ装置の嵌合時の状態を示す側面図である。
【図５】図５は、図４のＶ−Ｖ矢視断面図である。
【図６】図６は、図５のＶＩ部の拡大図である。
【図７】図７は、回路基板と接続されるフラットケーブルの端末部の構成を示す斜視図である。
【図８】図８は、ケーブル側コネクタの一部断面とした斜視図である。
【図９】図９は、図８のＩＸ部の拡大図である。
【発明を実施するための形態】
【００１４】
以下、本発明の実施形態を図面を参照して説明する。
図１は実施形態のペグ圧入構造が含まれるコネクタ装置の分解斜視図、図２は本発明の実施形態のペグ圧入構造が含まれるコネクタ装置の嵌合時の状態を示す斜視図、図３は図２のＩＩＩ部に適用された実施形態のペグ圧入構造部分の拡大断面図、図４は本発明の実施形態のペグ圧入構造が含まれるコネクタ装置の嵌合時の状態を示す側面図、図５は図４のＶ−Ｖ矢視断面図、図６は図５のＶＩ部の拡大図である。
【００１５】
図１及び図２に示すように、このコネクタ装置は、互いに嵌合する基板側コネクタ（レセプタクル）１とケーブル側コネクタ２とから成る。基板側コネクタ１は回路基板３に固定されるもの、ケーブル側コネクタ２はフラットケーブル１００の端末に取り付けられるものであり、このコネクタ装置を用いることで、フラットケーブル１００を回路基板３に電気接続することができる。
【００１６】
基板側コネクタ１は、樹脂製のオスハウジング１０と、オスハウジング１０に圧入される複数のオス端子１８と、オスハウジング１０を回路基板３に固定するためにオスハウジング１０に圧入固定される一対の金属板製のペグ２０とから成る。これらのペグ２０をオスハウジング１０に圧入する部分に実施形態のペグ圧入構造が適用されている。ペグ２０は、図２に示すように、回路基板３のペグ用スルーホール５に挿入されて半田付けにより固定されることで、基板用コネクタ１を回路基板３に固定すると同時に回路基板３のアース回路に接続されるものである。
【００１７】
オスハウジング１０は、ケーブル側コネクタ２のメスハウジング５０が嵌合される嵌合穴１１ａ（図３参照）を備えたハウジング本体部１１と、その後端（下端）側に一体化された左右一対の固定ブロック部１２とを有し、オス端子１８は、ハウジング本体部１１に圧入されることで、図３に示すように、一端側が嵌合穴１１ａ内に突出し、他端側が固定ブロック部１２の後端（下端）よりも後側（下側）に突出している。また、図１及び図２に示すように、ハウジング本体部１１の外側面には、ケーブル側コネクタ２のメスハウジング５０と嵌合した際に、メスハウジング５０のロックアーム５６とロックするロック突起１６が設けられている。
【００１８】
ここで、前側（上側）とは、相手側コネクタであるケーブル側コネクタ２と嵌合する側であり、回路基板３に固定するときに上側となる側と定義する。また、後側（下側）とは、相手側コネクタであるケーブル側コネクタ２と嵌合する際に嵌合側と反対側であり、回路基板３に固定するときに下側となる側と定義する。
【００１９】
左右の固定ブロック部１２の外側面には、前後方向（上下方向）に延びるペグ取付スロット１３が形成されている。これらのペグ取付スロット１３は、周壁の一部が開放した圧入孔に相当するもので、このペグ取付スロット１３に、前側（上側）から後側（下側）に向けて図３矢印Ａのように、ペグ２０が先端側２１から圧入されている。
【００２０】
ペグ２０は、先端側２１から基端側２３まで一定幅の平板状の基板２０ａにより構成されており、先端側２１と基端側２３の中間部が、ペグ取付スロット１３に対して圧入固定される圧入部２２となっている。
【００２１】
ペグ２０の先端側２１は、図２及び図４に示すように、回路基板３のペグ用スルーホール５に挿入される部分であり、挿入された際に回路基板３に位置する高さに貫通孔２１ａを有している。また、ペグ２０の基端側２３は、圧入後にペグ取付スロット１３に入らずに外側（上側）に残る部分であり、この基端側２３の外側面が、図５及び図６に示すように、基板側コネクタ１とケーブル側コネクタ２とを嵌合したときに、ケーブル側コネクタ２に設けられたアース用のバスバープレート７０が接触導通する部分となっている。
【００２２】
図３に示すように、ペグ２０の圧入部２２には、基板２０ａの一方の板面からプレスすることで他方の板面に出っ張った圧入凸部２５が設けられている。この圧入凸部２５は、圧入時にペグ取付スロット１３の内壁に食い込むことで、圧入による固定強度を確保するもので、圧入時に内側となる板面に設けられている。また、ペグ２０の基端側２３の外側の板面には、ケーブル側コネクタ２に設けられたアース用のバスバープレート７０との接触圧を高めるための押圧凸部２６が設けられている。
【００２３】
また、ペグ２０の基端側２３には、圧入時にペグ取付スロット１３の入口が開口する固定ブロック部１２の端壁１４に突き当たることで、ペグ２０の圧入位置を規制する圧入位置規制突起２８が設けられている。この圧入位置規制突起２８は、ペグ２０を構成する基板２０ａにコ字状の切り込み２７を入れて、その切り込み２７の内側の長方形の板部分を、ペグ２０の圧入方向に向けて徐々に基板２０ａとの間隔が広がるように斜めに切り起こした切り起こし片によって構成されており、この切り起こし片（圧入位置規制突起２８）の先端が、ペグ取付スロット１３の入口が開口する固定ブロック部１２の端壁１４に突き当たることで、それ以上の押し込みを防ぐようになっている。
【００２４】
一方のケーブル側コネクタ２は、図１に示すように、樹脂製のメスハウジング５０と、メスハウジング５０の端子挿入孔５４に挿入される多数のメス端子６０と、メスハウジング５０の後部に装着されるバスバープレート７０と、バスバープレート７０の後側からメスハウジング５０の後部に装着されるストレインリリーフ８０とから成る。なお、このケーブル側コネクタ２の以下の説明においては、前側は基板側コネクタ１と嵌合する側、後側はその反対側と定義する。
【００２５】
メスハウジング５０は、基板側コネクタ１のハウジング本体部１１の嵌合穴１１ａの内部に嵌まる嵌合ブロック部５１と、その外周に、オスハウジング１０のハウジング本体部１１の周壁が挿入される挿入溝５２を介して設けられた外装フード部５３とを有するものである。嵌合ブロック部５１にはメス端子６０の挿入される端子挿入孔５４が形成され、外装フード部５３には、オスハウジング１０とメスハウジング５０が適正に嵌合した際、オスハウジング１０のロック突起１６にロックすることで嵌合状態を保持するロックアーム５６が設けられている。
【００２６】
メスハウジング５０の左右両側部には、バスバープレート７０の左右のサイドバー７２が圧入されるバスバー取付スロット５５が設けられている。また、メスハウジング５０の左右両側部の外面には、ストレインリリーフ８０の左右側板８２が挿入される側板挿入部５８が設けられ、この側板挿入部５８には、ストレインリリーフ８０側のロック溝８２ａがロックするロック凸部５８ａが設けられている。
【００２７】
メス端子６０は、端子挿入孔５４に対する挿入方向の前部にオス端子との嵌合部６１を有し、端子挿入孔５４に対する挿入方向の後端に、フラットケーブル１００に圧接接続されるＹ字形の圧接刃６２を有している。
【００２８】
バスバープレート７０は、帯板をコ字状に曲げた形状のもので、メスハウジング５０の後端面に押し当てられる中央バー７１と、その中央バー７１の左右両端から前方に延びて、メスハウジング５０のバスバー取付スロット５５に後方から圧入される一対のサイドバー７２とを有する。中央バー７１の後面には、フラットケーブル１００のシールド部材（アルミ箔など）１０５との接触導通性を良くするための接触凸部７３が設けられている。また、サイドバー７２には、前端の近い位置に、基板側コネクタ１のペグ２０との接触導通性を良くするための押圧凸部７４が設けられ、その後側に、バスバー取付スロット５５にサイドバー７２を圧入した際に、バスバー取付スロット５５の内壁に食い込むことで、圧入による固定強度を確保する圧入凸部７５が設けられている。
【００２９】
ストレインリリーフ８０は、実装した時にフラットケーブル１００とメス端子６０の圧接接続部分に力がかからないようにするためのもので、中央のストレインリリーフ本体部８１と、その左右両側部から前方に延出して、メスハウジング５０にストレインリリーフ８０を装着するときにメスハウジング５０の側板挿入部５８に挿入される一対の左右側板８２と、ストレインリリーフ本体部８１の後部にヒンジ８５を介して連結され、フラットケーブル１００との接続後にストレインリリーフ本体部８１に合体されることで、フラットケーブル１００を押え込むカバー８６と、を備えている。
【００３０】
一対の左右側板８２には、メスハウジング５０にストレインリリーフ８０を適正に装着したときに、メスハウジング５０側のロック凸部５８ａにロックするロック溝８２ａが形成されている。また、ストレインリリーフ本体部８１の左右側面には、ヒンジ８５を曲げてカバー８６をストレインリリーフ本体部８１に合体させたときに、カバー８６側の係合突起８７と係合するロック板８３が設けられている。
【００３１】
また、このケーブル側コネクタ２が取り付けられるフラットケーブル１００は、図７に示すように、信号導体を埋設した絶縁被覆の外周をアルミ箔などのシールド部材１０５で包囲した屈曲自在のフレキシブルフラットケーブルであり、信号ライン１０１が一定間隔で平行に並んでいる。そして、信号ライン１０１の位置にメス端子６０の後端に設けた圧接刃６２を食い込ませることで、内部の信号導体とメス端子６０とを圧接接続させることができるものである。
【００３２】
次に組み付けの仕方及び利用の仕方について述べる。
基板側コネクタ１を組み立てる場合は、まず、オスハウジング１０にオス端子１８を圧入すると共に、図３に示すように、ペグ２０をオスハウジング１０のペグ取付スロット１３に圧入する。このペグ２０の圧入の際に、圧入位置規制突起２８が固定ブロック部１２の端壁１４に突き当たることで、ペグ２０を適正位置まで圧入することができ、押し込み過ぎを防止することができる。
【００３３】
このように構成した基板側コネクタ１を回路基板３に固定する場合は、図２に示すように、オスハウジング１０の固定ブロック部１２の後端面（下端面）を回路基板３上に載せると共に、各オス端子１８の突出端を端子用スルーホール４に挿入し、ペグ２０の先端側２１をペグ用スルーホール５に挿入する。この状態で半田付けすることにより、基板用コネクタ１を回路基板３に固定することででき、同時に、各オス端子１８をそれぞれの回路に接続することができると共に、ペグ２０をアース回路に接続することができる。
【００３４】
一方のケーブル側コネクタ２を組み立てるには、まず、メスハウジング５０の端子挿入孔５４にメス端子６０を挿入固定する（あるいは圧入する）。また、バスバープレート７０のサイドバー７２を、メスハウジング５０に形成したバスバー取付スロット５５に圧入する。このとき、メス端子６０とバスバープレート７０は非接触な状態に保たれている。
【００３５】
次に図７に示すように、フラットケーブル１００の端末部を処理し、シールド部材１０５を適当寸法だけ剥がして信号ライン１０１を露出させると共に、その下側にシールド部材１０５を露出させる。
【００３６】
そして、このフラットケーブル１００の端末部を、先にメスハウジング５０の後部に装着したバスバープレート７０の中央バー７１の上に被せるように配置し、その後側からストレインリリーフ８０をメスハウジング５０の後部に押し付け力を加えながら装着する。そうすると、そのストレインリリーフ８０の押圧動作により、フラットケーブル１００の信号ライン１０１の位置にメス端子６０の圧接刃６２が食い込み、メス端子６０と信号ライン１０１の中に埋まっている信号導体が圧接接続される。
【００３７】
次にヒンジ８５を曲げてカバー８６をストレインリリーフ本体部８１に合体させ、カバー８６とストレインリリーフ本体部８１との間にフラットケーブル１００を挟むことで、フラットケーブル１００とメス端子６０の圧接接続部分にケーブル側から外力が及ばないようにすることができる。
【００３８】
そして、このように構成したケーブル側コネクタ２を基板側コネクタ１に嵌合することで、フラットケーブル１００を回路基板３に電気接続することができる。この際、図５及び図６に示すように、ケーブル側コネクタ２のバスバープレート７０のサイドバー７２が基板側コネクタ１のペグ２０の基端側２３の外側面に摺動して接触導通することにより、フラットケーブル１００のシールド部材１０５を、バスバープレート７０及びペグ２０を介して回路基板３のアース回路に接続することができる。
【００３９】
以上の構成のコネクタ装置に適用されたペグ圧入構造によれば、基板側コネクタ１のオスハウジング１０を回路基板３に固定するためのペグ２０をメスハウジング５０のペグ取付スロット１３に圧入したときに、ペグ２０の基端側２３に設けた圧入位置規制突起２８が、メスハウジング５０の端壁１４に突き当たることで、ペグ２０の圧入位置を規制することができる。従って、ペグ２０の圧入位置を適正に管理することができ、ペグ２０の基端側２３にケーブル側コネクタ２のアース用のバスバープレート７０を接触導通させる際の接点位置の安定を図ることができ、接触信頼性を高めることができる。
【００４０】
即ち、ペグ２０を用いてケーブル側コネクタ２のアース接続を行う場合に、ケーブル側コネクタ２に設けたアース用のバスバープレート７０を、適正に位置規制されたペグ２０の基端側２３に接触導通させればよいので、信頼性の高いアース接続を行うことができる。
【００４１】
また、圧入位置規制突起２８として斜めの切り起こし片を設けたので、簡単な構成で確実にペグ２０の圧入位置を規制することができる。
【００４２】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００４３】
１  基板側コネクタ
２  ケーブル側コネクタ（相手側コネクタ）
３  回路基板
５  ペグ用スルーホール
１０  オスハウジング
１３  ペグ取付スロット
１４  端壁
２０  ペグ
２０ａ  基板
２１  先端側
２２  圧入部
２３  基端側
２８  圧入位置規制突起
７０  バスバープレート（アース用の部材）
【図１】
2014154501.tif 000003
【図２】
2014154501.tif 000004
【図３】
2014154501.tif 000005
【図４】
2014154501.tif 000006
【図５】
2014154501.tif 000007
【図６】
2014154501.tif 000008
【図７】
2014154501.tif 000009
【図８】
2014154501.tif 000010
【図９】
2014154501.tif 000011